(57)【要約】【課題】携帯電話機等の携帯型の通信装置と、車両等の移動体に搭載されている通信装置との切り替え使用の可否に関するユーザの誤認を回避しうるように通信状態を管理するシステム等を提供する。【解決手段】本発明によれば、携帯電話機１２の「第１識別子」を用いた第１データベース２０１への照会により、この携帯電話機１２が車載通話装置１０との切り替え使用が可能な「第１種の通信装置」およびそうではない「第２種の通信装置」のうちいずれであるかが判定される。また、携帯電話機１２が第１種の携帯電話機であると判定されたことを要件として、そのユーザによる当該切り替え使用のための設定手続が許容される。これにより、携帯電話機１２と車載通話装置１０との切り替え使用の可否に関するユーザの誤認を回避しうるように通信状態が管理されうる。【選択図】  図１
2007306367.tif 000002
【特許請求の範囲】
【請求項１】
移動体に搭載されている通信装置（以下「搭載通信装置」という。）および携帯型の通信装置（以下「携帯通信装置」という。）のそれぞれと、他の通信装置との通信状態を管理するシステムであって、
携帯通信装置の第１識別子を用いた第１データベースへの照会によってこの携帯通信装置が、搭載通信装置との切り替え使用が可能な第１種の通信装置および当該切り替え使用が不可能な第２種の通信装置のうちいずれであるかを判定する第１処理部と、
第１処理部により携帯通信装置が第１種の通信装置であると判定されたことを要件として当該携帯通信装置および搭載通信装置の切り替え使用のためのユーザによる設定手続を許容する第２処理部とを備えていることを特徴とする通信管理システム。
【請求項２】
第１処理部が携帯通信装置の第２識別子を用いた第２データベースへの照会によってこの携帯通信装置のユーザが搭載通信装置のユーザとして登録されているか否かを判定し、
第２処理部が第１処理部により当該携帯通信装置のユーザが搭載通信装置のユーザとして第２データベースに未登録であると判定されたことをさらなる要件として当該登録手続を含む前記設定手続を許容することを特徴とする請求項１記載の通信管理システム。
【請求項３】
第２処理部が第１処理部により携帯通信装置が第１種の通信装置であり、かつ、そのユーザが搭載通信装置のユーザとして第２データベースに登録済みであると判定されたことを要件として、当該携帯通信装置と搭載通信装置との間の通信回線の切り替えのための指示信号を外的通信管理システムに発信することを特徴とする請求項２記載の通信管理システム。
【請求項４】
第１処理部が携帯通信装置の第３識別子を用いた第３データベースへの照会によってこの携帯通信装置の通信回線の搭載通信装置への切り替えの有無をさらに判定し、
第２処理部が第１処理部により当該携帯通信装置の通信回線が搭載通信装置に切り替えられていないと判定されたことをさらなる要件として前記指示信号を外的通信管理システムに発信することを特徴とする請求項３記載の通信管理システム。
【請求項５】
第１処理部が、搭載通信装置と携帯通信装置との通信が確立されたこと、またはユーザによる通信管理システムへの携帯通信装置の第１識別子の入力のための操作があったことを要件として、当該携帯通信装置が第１種および第２種の通信装置のいずれであるかを判定することを特徴とする請求項１記載の通信管理システム。
【請求項６】
第１処理部が携帯通信装置の製造番号、型番、ネットワーク通信用のアドレス、Ｂｌｕｅｔｏｏｔｈアドレス、および電話番号のうち一部または全部を識別子として該携帯通信装置のメモリから読み取ることを特徴とする請求項１記載の通信管理システム。
【請求項７】
第１処理部が、携帯通信装置の通信回線が搭載通信装置に切り替えられていない状態において移動体電源のオフ状態からオン状態への切り替えまたは携帯通信装置の所定箇所への設置を要件として、当該携帯通信装置が第１種および第２種の通信装置のいずれであるかを判定することを特徴とする請求項１記載の通信管理システム。
【請求項８】
第２処理部が、第１処理部による判定結果を移動体に搭載された情報出力装置を通じて出力することを特徴とする請求項１記載の通信管理システム。
【請求項９】
搭載通信装置および携帯通信装置のそれぞれと、他の通信装置との通信状態を管理する方法であって、
携帯通信装置の第１識別子を用いた第１データベースへの照会によって携帯通信装置が、搭載通信装置との切り替え使用が可能な第１種の通信装置および当該切り替え使用が不可能な第２種の通信装置のうちいずれであるかを判定する第１処理と、
第１処理において携帯通信装置が第１種の通信装置であると判定されたことを要件として当該携帯通信装置および搭載通信装置の切り替え使用のためのユーザによる設定手続を許容する第２処理とを実行することを特徴とする通信管理方法。
【請求項１０】
搭載通信装置および携帯通信装置のそれぞれと、他の通信装置との通信状態を管理する機能を移動体に搭載されたコンピュータに付与するプログラムであって、携帯通信装置の第１識別子を用いた第１データベースへの照会によって携帯通信装置が、搭載通信装置との切り替え使用が可能な第１種の通信装置および当該切り替え使用が不可能な第２種の通信装置のうちいずれであるかを判定する第１処理機能と、
第１処理機能により携帯通信装置が第１種の通信装置であると判定されたことを要件として当該携帯通信装置および搭載通信装置の切り替え使用のためのユーザによる設定手続を許容する第２処理機能とを前記コンピュータに付与することを特徴とする通信管理プログラム。
【請求項１１】
請求項１記載の通信管理システムを構成するために請求項１０記載の通信管理プログラムの一部または全部をダウンロードすることを特徴とする当該通信システムの構成方法。
【請求項１２】
請求項１１記載の方法を実施することを特徴とするサーバ。
【請求項１３】
請求項１〜８のうちいずれか１つに記載の通信管理システムが搭載されていることを特徴とする前記移動体としての車両。
【請求項１４】
請求項１〜８のうちいずれか１つに記載の通信管理システムを備えていることを特徴とする前記搭載通信装置。
【請求項１５】
請求項３または４記載の通信管理システムから送信された前記指示信号を受信し、該指示信号に応じて通信状態を切り替えることを特徴とする前記外的通信管理システム。
【請求項１６】
請求項３または４記載の通信管理システムと、請求項１５記載の外的通信管理システムとを備えていることを特徴とする総合通信管理システム。
【発明の詳細な説明】
【技術分野】
【０００１】
本発明は、移動体に搭載されている通信装置および携帯型の通信装置のそれぞれと、他の通信装置との通信状態を管理するシステム、当該通信管理方法、当該通信管理機能をコンピュータに付与するプログラム、当該通信管理システムを構成する方法、当該方法を実施するサーバ、当該通信管理システムが搭載された移動体としての車両、当該通信管理システムを備えている搭載通信装置、当該通信管理システムから送信された指示信号に応じて通信状態を管理する外的通信管理システム、および当該通信管理システムおよび外的通信管理システムより構成される総合的な通信管理システムに関する。
【背景技術】
【０００２】
ハンズフリー通話装置等、自動車（車両）に搭載されている通信装置を通じた他の電話機との通話が可能な状態と、携帯電話機を通じた他の電話機との通話が可能な状態とを自動的に切り替える技術的手法が提案されている（たとえば、特許文献１参照）。
【特許文献１】特開２００２−２９０５３８号公報
【発明の開示】
【発明が解決しようとする課題】
【０００３】
しかし、実際には携帯電話機と車載通信装置との切り替え使用ができないにもかかわらず、携帯電話機と車載通信装置との通信が確立されたり、車載通信装置への情報入力操作が可能とされていたりすることでユーザ登録等の設定が可能となる場合がある。このため、当該設定が携帯電話機と車載通信装置との切り替え使用のための要件とされている場合、ユーザに当該切り替え使用が可能であると誤認させてしまうおそれがあった。さらに、ユーザが携帯電話機からの切り替え使用が可能であると思い込んで車載通信装置を通じた通話を試みてもうまくいかないため、ユーザを困惑させあるいは車載通信装置に不具合があるとユーザに誤認させるおそれがあった。
【０００４】
そこで、本発明は、携帯電話機等の携帯型の通信装置と、車両等の移動体に搭載されている通信装置との切り替え使用の可否に関するユーザの誤認を回避しうるように通信状態を管理するシステムおよび方法、当該管理機能をコンピュータに付与するプログラム、当該システムを構成する方法、当該方法を実施するサーバ、当該システムが搭載された車両、当該システムを備えている搭載通信装置、当該システムとの通信に基づいて通信状態を切り替える外的通信管理システム、ならびに当該通信管理システムと外的通信管理システムとより構成される総合システムを提供することを解決課題とする。
【課題を解決するための手段】
【０００５】
前記課題を解決するための本発明の通信管理システムは、移動体に搭載されている通信装置（以下「搭載通信装置」という。）および携帯型の通信装置（以下「携帯通信装置」という。）のそれぞれと、他の通信装置との通信状態を管理するシステムであって、携帯通信装置の第１識別子を用いた第１データベースへの照会によってこの携帯通信装置が、搭載通信装置との切り替え使用が可能な第１種の通信装置および当該切り替え使用が不可能な第２種の通信装置のうちいずれであるかを判定する第１処理部と、第１処理部により携帯通信装置が第１種の通信装置であると判定されたことを要件として当該携帯通信装置および搭載通信装置の切り替え使用のためのユーザによる設定手続を許容する第２処理部とを備えていることを特徴とする。
【０００６】
本発明の通信管理システムによれば、携帯通信装置の第１識別子を用いた第１データベースへの照会によって、この携帯通信装置が搭載通信装置との切り替え使用が可能な「第１種の通信装置」およびそうではない「第２種の通信装置」のうちいずれであるかが判定される。そして、携帯通信装置が第１種の通信装置であると判定されたことを要件としてこの携帯通信装置のユーザによる携帯通信装置および搭載通信装置の切り替え使用のための設定手続が許容される。当該設定手続はユーザによる携帯通信装置および搭載通信装置のうち一方または両方の操作を通じて行われうる。
【０００７】
これにより、携帯通信装置が第２種の通信装置であるにもかかわらず当該設定手続が許容されることが回避されうる。また、ユーザが携帯通信装置（第２種の通信装置）および搭載通信装置の切り替え使用が可能であると誤認することが確実に回避されうる。すなわち、本発明の通信管理システムによれば、携帯通信装置と搭載通信装置との切り替え使用の可否に関するユーザの誤認を回避しうるように通信状態が管理されうる。
【０００８】
また、本発明の通信管理システムは、第１処理部が携帯通信装置の第２識別子を用いた第２データベースへの照会によってこの携帯通信装置のユーザが搭載通信装置のユーザとして登録されているか否かを判定し、第２処理部が第１処理部により当該携帯通信装置のユーザが搭載通信装置のユーザとして第２データベースに未登録であると判定されたことをさらなる要件として当該登録手続を含む前記設定手続を許容することを特徴とする。
【０００９】
本発明の通信管理システムによれば、携帯通信装置が第１種の通信装置であることに加え、さらにそのユーザが搭載通信装置のユーザとして第２データベースに未登録であることを要件として、当該登録手続を含む設定手続が許容される。
【００１０】
これにより、携帯通信装置が第２種の通信装置であるにもかかわらず搭載通信装置のユーザとしての登録手続が進行することは防止され、また、ユーザが携帯通信装置（第２種の通信装置）および搭載通信装置の切り替え使用が可能であると誤認することが確実に回避されうる。
【００１１】
さらに、本発明の通信管理システムは、第２処理部が第１処理部により携帯通信装置が第１種の通信装置であり、かつ、そのユーザが搭載通信装置のユーザとして第２データベースに登録済みであると判定されたことを要件として、当該携帯通信装置と搭載通信装置との間の通信回線の切り替えのための指示信号を外的通信管理システムに発信することを特徴とする。
【００１２】
本発明の通信管理システムによれば、携帯通信装置が第１種の通信装置であると判定されたことに加え、さらにそのユーザが搭載通信装置のユーザとして第２データベースに登録されていることを要件として、当該携帯通信装置の通信回線が外的通信管理システムによって搭載通信装置との間で切り替えられる。これにより、携帯通信装置が第２種の通信装置（その通信回線が搭載通信装置に切り替えられても搭載通信装置を通じた通信ができない通信装置）であるにもかかわらず、その通信回線が搭載通信装置に切り替えられてしまい、搭載通信装置はもちろんのこと携帯通信装置を通じた通信（または通話）すらできなくなってユーザを困惑させる事態が回避されうる。
【００１３】
また、本発明の通信管理システムは、第１処理部が携帯通信装置の第３識別子を用いた第３データベースへの照会によってこの携帯通信装置の通信回線の搭載通信装置への切り替えの有無をさらに判定し、第２処理部が第１処理部により当該携帯通信装置の通信回線が搭載通信装置に切り替えられていないと判定されたことをさらなる要件として前記指示信号を外的通信管理システムに発信することを特徴とする。
【００１４】
本発明の通信管理システムによれば、搭載通信装置を通じた通信ができないとユーザが認識している一方、実際には携帯通信装置（第１種の通信装置）の通信回線が搭載通信装置にすでに切り替えられている状態で、この通信回線が携帯通信装置に再び切り替えられてしまう事態が回避される。これにより、それまでとは逆に搭載通信装置を通じた通信が可能であるとユーザが認識しているにもかかわらず、通信回線が携帯通信装置に切り替えられているために搭載通信装置を通じた通信ができず、このユーザを困惑させてしまう事態が回避されうる。
【００１５】
なお、第１〜第３データベースのそれぞれは、移動体の外部にあるネットワーク経由でアクセス可能な外部データベースであってもよく、移動体の内部にあるネットワーク経由でアクセス可能な通信管理システム等により管理されている内部データベースであってもよい。また、内部の第ｉデータベース（ｉ＝１，２，３）への照会を補足する形で外部のデータベースが照会されてもよく、これとは逆に外部の第ｉデータベースへの照会を補足する形で内部のデータベースが照会されてもよい。
【００１６】
さらに、本発明の通信管理システムは、第１処理部が、搭載通信装置と携帯通信装置との通信が確立されたこと、またはユーザによる通信管理システムへの携帯通信装置への第１識別子の入力のための操作があったことを要件として、当該携帯通信装置が第１種および第２種の通信装置のいずれであるかを判定することを特徴とする。
【００１７】
本発明の通信管理システムによれば、搭載通信装置と携帯通信装置との通信が確立され、あるいは通信管理システムへのユーザによる携帯通信装置の第１識別子の入力のための操作が可能であるため、この搭載通信装置を通じた通信が可能であるとユーザに誤認される可能性が高い場合に、前記設定手続の許容および禁止の別を通じてこの携帯通信装置が搭載通信装置との切り替え使用が可能な第１種の通信装置であるかそうではない第２種の通信装置であるかをユーザに認識させることができる。
【００１８】
また、本発明の通信管理システムは、第１処理部が携帯通信装置の製造番号、型番、ネットワーク通信用のアドレス、Ｂｌｕｅｔｏｏｔｈアドレス、および電話番号のうち一部または全部を識別子として該携帯通信装置のメモリから読み取ることを特徴とする。
【００１９】
本発明の通信管理システムによれば、携帯通信装置の電話番号等を識別子として、この携帯通信装置が第１種および第２種の通信装置のいずれであるかが正確に判定されうる。
【００２０】
さらに、本発明の通信管理システムは、第１処理部が、携帯通信装置の通信回線が搭載通信装置に切り替えられていない状態において移動体電源のオフ状態からオン状態への切り替えまたは携帯通信装置の所定箇所への設置を要件として、当該携帯通信装置が第１種および第２種の通信装置のいずれであるかを判定することを特徴とする。
【００２１】
本発明の通信管理システムによれば、ユーザが搭載通信装置の使用を意図している蓋然性が高いイベントの発生に応じて、携帯通信装置の種類が判定され、かつ、携帯通信装置が第１種の通信装置であると判定された場合には搭載通信装置の使用のための設定手続が許容されうる。
【００２２】
また、本発明の通信管理システムは、第２処理部が、第１処理部による判定結果を移動体に搭載された情報出力装置を通じて出力することを特徴とする。
【００２３】
本発明の通信管理システムによれば、この判定結果が情報出力装置（ナビゲーション装置のディスプレイ等）を通じて出力され、ユーザにその視覚や聴覚等の五感を通じて携帯通信装置が第１種および第２種の通信装置のいずれであるかを認識させることができる。これにより、搭載通信装置および携帯通信装置の切り替え使用の可否に関してユーザを誤認させる事態が回避されうる。
【００２４】
前記課題を解決するための本発明の通信管理方法は、搭載通信装置および携帯通信装置のそれぞれと、他の通信装置との通信状態を管理する方法であって、携帯通信装置の第１識別子を用いた第１データベースへの照会によってこの携帯通信装置が、搭載通信装置との切り替え使用が可能な第１種の通信装置および当該切り替え使用が不可能な第２種の通信装置のうちいずれであるかを判定する第１処理と、第１処理において携帯通信装置が第１種の通信装置であると判定されたことを要件として当該携帯通信装置および搭載通信装置の切り替え使用のためのユーザによる設定手続を許容する第２処理とを実行することを特徴とする。
【００２５】
本発明の通信管理方法によれば、携帯通信装置が第２種の通信装置であるにもかかわらず当該設定手続が許容されることが回避されうる。また、ユーザが携帯通信装置（第２種の通信装置）および搭載通信装置の切り替え使用が可能であると誤認することが確実に回避されうる。すなわち、携帯通信装置と搭載通信装置との切り替え使用の可否に関するユーザの誤認を回避しうるように通信状態が管理されうる。
【００２６】
前記課題を解決するための本発明の通信管理プログラムは、搭載通信装置および携帯通信装置のそれぞれと、他の通信装置との通信状態を管理する機能を移動体に搭載されたコンピュータに付与するプログラムであって、携帯通信装置の第１識別子を用いた第１データベースへの照会によってこの携帯通信装置が、搭載通信装置との切り替え使用が可能な第１種の通信装置および当該切り替え使用が不可能な第２種の通信装置のうちいずれであるかを判定する第１処理機能と、第１処理機能により携帯通信装置が第１種の通信装置であると判定されたことを要件として当該携帯通信装置および搭載通信装置の切り替え使用のためのユーザによる設定手続を許容する第２処理機能とを前記コンピュータに付与することを特徴とする。
【００２７】
本発明の通信管理プログラムによれば、搭載通信装置および携帯通信装置の切り替え使用の可否に関してユーザを誤認させる事態が回避されうるように通信状態を管理する機能が移動体に搭載されたコンピュータに付与される。
【００２８】
前記課題を解決するための本発明の通信管理システムの構成方法は、前記通信管理システムを構成するために前記通信管理プログラムの一部または全部をダウンロードすることを特徴とする。前記課題を解決するためのサーバは当該方法を実施することを特徴とする。
【００２９】
本発明の方法および当該方法を実施するサーバによれば、搭載通信装置および携帯通信装置の切り替え使用の可否に関してユーザを誤認させる事態が回避されうるように通信状態を管理するシステムが、移動体に搭載されているコンピュータへの任意のタイミングでのプログラムの一部または全部のダウンロードによって構成されうる。
【００３０】
前記課題を解決するための本発明の車両は、前記移動体として前記通信管理システムが搭載されていることを特徴とする。前記課題を解決するための車載通話装置は、前記通信管理システムを備えていることを特徴とする。前記課題を解決するための外的通信管理システムは、前記通信管理システムから送信された前記指示信号を受信し、該指示信号に応じて通信状態を切り替えることを特徴とする。前記課題を解決するための総合通信管理システムは、前記通信管理システムと、前記外的通信管理システムとを備えていることを特徴とする。
【００３１】
これらのシステム等により、搭載通信装置および携帯通信装置の切り替え使用の可否に関してユーザを誤認させる事態が回避されうるように通信状態が管理されうる。
【発明を実施するための最良の形態】
【００３２】
本発明の通信管理システム、通信制御方法、通信制御プログラム、当該システムの構成方法、サーバ、車両、搭載通信装置、外的通信管理システム、および総合通信管理システムの実施形態について図面を用いて説明する。
【００３３】
図１は本発明の通信管理システムおよび外的通信管理システム等の構成例示図であり、図２〜図３は本発明の通信管理方法の説明図である。
【００３４】
まず、本発明の通信管理システム等の構成について図１を用いて説明する。
【００３５】
図１に示されているように自動車（移動体）１に搭載されている車載通話装置（搭載通信装置）１０は内的通信管理システム（通信管理システム）１００と、通信ユニット１０２とを備えている。内的通信管理システム１００は、車載通話装置１０が備えているハードウェアとしてのコンピュータ（ＣＰＵ、ＲＯＭ、ＲＡＭ等のメモリ、Ｉ／Ｏ等により構成されている。電子制御ユニット（ＥＣＵ）を構成する。）と、メモリに格納され後述の処理機能をこのコンピュータに付与するソフトウェアとしての本発明の「通信管理プログラム」とにより構成されている。通信管理プログラムは最初から車載コンピュータのメモリに格納されていてもよいが、その一部または全部が運転手または車載コンピュータからのリクエストがあったとき等、任意のタイミングで所定のサーバからダウンロードされてもよい。
【００３６】
車載通話装置１０はさらにマイク１０４と、スピーカ１０６とを備えている。
【００３７】
内的通信管理システム１００は車載通話装置１０および携帯電話機１２のそれぞれの通信状態を管理するための構成として、第１処理部１１０と、第２処理部１２０と、第２データベース２０２とを備えている。第１処理部１１０および第２処理部１２０のそれぞれはＣＰＵ、ＲＯＭ、ＲＡＭ等のメモリ、Ｉ／Ｏ等により構成されている。
【００３８】
第１処理部１１０は車載通話装置１０と携帯電話機１２との通信が確立されたか否かを判定する。さらに、第１処理部１１０は車載通話装置１０と携帯電話機１２との通信が確立されたと判定したことを要件として、携帯電話機１２のメモリから第１識別子を読み取り、第１識別子を用いた第１データベース２０１への照会によってこの携帯電話機１２が車載通話装置１０との切り替え使用が可能な「第１種の携帯電話機」および当該切り替え使用が不可能な「第２種の携帯電話機」のうちいずれであるかを判定する。さらに、第１処理部１１０は携帯電話機１２のメモリから第２識別子を読み取り、第２識別子を用いた第２データベース２０２への照会によってこの携帯電話機１２のユーザが車載通話装置１０のユーザとして登録されているか否かをさらに判定する。
【００３９】
第２処理部１２０は第１処理部１１０により携帯電話機１２が第１種の携帯電話機であり、かつ、そのユーザが車載通話装置１０のユーザとして未登録であると判定されたことを要件として当該携帯電話機１２および車載通話装置１０の切り替え使用のためのユーザによる設定手続を許容する。また、第２処理部１２０は第１処理部１１０により携帯電話機１２が第１種の携帯電話機であると判定され、かつ、携帯電話機１２のユーザが車載通話装置１０のユーザとして登録済みであると判定されたことを要件として、当該通信回線の切り替えのための指示信号を外的通信管理システム２００に発信する。第２処理部１２０は通信ユニット１０２の通信機能を利用してネットワーク経由で外的通信管理システム２００等の装置との通信が可能とされている。さらに、第２処理部１２０は携帯電話機１２が第１種および第２種の携帯電話機のいずれであるかという第１処理部１１０による判定結果を自動車１に搭載されたナビゲーション装置のディスプレイ等（情報出力装置）に出力させる。
【００４０】
第２データベース２０２は携帯電話機１２の第２識別子と、車載通話装置１０のユーザとしての登録の有無とを対応付けて記憶している。
【００４１】
外的通信管理システム２００はネットワークに接続された一または複数のサーバにより構成されており、第１データベース２０１と、切り替え処理部２２０とを備えている。第１データベース２０１は携帯電話機１２の第１識別子と、携帯電話機１２が第１種および第２種の携帯電話機のいずれであるかを対応付けて記憶している。切り替え処理部２２０はＣＰＵ、ＲＯＭ、ＲＡＭ等のメモリ、Ｉ／Ｏ等により構成されており、サーバ２００が指示信号を受信したとき、車載通話装置１０および携帯電話機１２の間で通信回線を切り替える。
【００４２】
前記構成の内的通信管理システム１００および外的通信管理システム２００により構成される総合通信管理システムの機能について図２〜図３を用いて説明する。
【００４３】
まず、第１処理部１１０が「第１処理」を実行する（図２／Ｓ１１０）。
【００４４】
具体的には、第１処理部１１０は車載通話装置１０と携帯電話機１２との通信が確立されたか否かを判定する（図２／Ｓ１１１）。車載通話装置１０と携帯電話機１２とがＢｌｕｅｔｏｏｔｈ等の通信規格による通信が可能である場合や、車載のクレードルに携帯電話機１２が差し込まれたことにより車載通話装置１０およびこの携帯電話機１２が接続された場合等、両者の通信が確立されうる。さらに、第１処理部１１０はこの通信が確立されたと判定した場合（図２／Ｓ１１１‥ＹＥＳ）、携帯電話機１２のメモリから「識別子」を読み取る（図２／Ｓ１１２（矢印（１）））。たとえば携帯電話機１２の製造番号、型番（メーカーを特定しうるもの。）、ネットワーク通信用のアドレス（メールアドレス）、電話番号およびＢｌｕｅｔｏｏｔｈアドレスのうち一部または全部が、この携帯電話機１２を特定することが可能な識別子として認識される。
【００４５】
なお、車載通話装置１０と携帯電話機１２との通信が確立されたか否かとは無関係に、ユーザによって携帯電話機１２の識別子入力のためにナビゲーション装置等の操作ボタン（図示略）が操作されたことを要件として、当該操作ボタンのユーザによる操作を通じて車載通話装置１０（ひいては内的通信管理システム１００）に入力された識別子が第１処理部１１０によって認識されてもよい。
【００４６】
そして、第１処理部１１０はこの識別子のうち一部を「第１識別子」としてネットワーク経由で外的通信システム２００に送信し（図２／矢印（２））、この第１識別子を用いた第１データベース２０１への照会結果を受信することにより（図２／矢印（３））、この携帯電話機１２が第１種および第２種の携帯電話機のうちいずれであるかを認識する（図２／Ｓ１１４）。第１識別子としては携帯電話機１２の型番が採用されうる。一方、第１処理部１１０は、携帯電話機１２がＢｌｕｅｔｏｏｔｈに対応していない等のため当該通信が確立されていないと判定した場合（図２／Ｓ１１１‥ＮＯ）、次処理を表す指数ｆを「２」に設定してメモリに保存する（図２／Ｓ１１９）。
【００４７】
第１処理部１１０は携帯電話機１２が第１種の携帯電話機であると判定した場合（図２／Ｓ１１４‥「第１種」）、識別子の一部を「第２識別子」として第２データベース２０２にＣＡＮ，ＵＳＢ接続等を用いた車内ネットワーク経由で送信し（図２／矢印（４））、この第２識別子を利用した第２データベース２０２への照会結果を受信する（図２／矢印（５））。これにより第１処理部１１０はこの携帯電話機１２のユーザが車載通話装置１０のユーザとして第２データベース２０２に登録されているか否かをさらに判定する（図２／Ｓ１１５）。第２識別子としては携帯電話機１２の電話番号やメールアドレス等、第１識別子とは異なる識別子が採用されうる。なお、第１識別子および第２識別子は同一であってもよい。一方、第１処理部１１０は携帯電話機１２が第２種の携帯電話機であると判定した場合（図２／Ｓ１１４‥「第２種」）、次処理を表す指数ｆを「２」に設定してメモリに保存する（図２／Ｓ１１９）。
【００４８】
第１処理部１１０は携帯電話機１２のユーザが車載通話装置１０のユーザとしては未登録であると判定した場合（図２／Ｓ１１６‥ＹＥＳ）、次処理を表す指数ｆを「０」に設定してメモリに保存する（図２／Ｓ１１７）。一方、第１処理部１１０は携帯電話機１２のユーザが車載通話装置１０のユーザとして登録済みであると判定した場合（図２／Ｓ１１６‥ＮＯ）、次処理を表す指数ｆを「１」に設定してメモリに保存する（図２／Ｓ１１８）。
【００４９】
次に第２処理部１２０が「第２処理」を実行する（図３／Ｓ１２０）。
【００５０】
具体的には、第２処理部１２０はメモリから指数ｆを読み出し、これが「０」「１」および「２」のいずれであるかを判定する（図３／Ｓ１２１）。
【００５１】
第２処理部１２０は指数ｆが「０」であると判定した場合（図３／Ｓ１２１‥「０」）、ユーザ登録処理を実行する（図３／Ｓ１２２）。これにより、携帯電話機１２のユーザによる車載通話装置１０のユーザとしての第２データベース２０２への登録手続が許容される。たとえばユーザによる車載通話装置１０のボタン（図示略）の操作等に応じて（または自動的に）当該ユーザの「登録申請」が「第２識別子」とともにＣＡＮ，ＵＳＢ接続等を用いた車内ネットワーク経由で第２データベース２０２に送信される（図３／矢印（６））。当該ユーザが車載通話装置１０のユーザとして第２識別子とともに第２データベース２０２に登録されると、第２処理部１２０はその旨の通知を第２データベース２０２から受信する（図３／矢印（７））。これに応じて第２処理部１２０は指数ｆを「１」に書き直してメモリに保存し（図３／Ｓ１２３）、再びＳ１２１の処理を実行する。
【００５２】
なお、ユーザ登録処理（図３／Ｓ１２２）の実行に際して、携帯電話機１２が第１種の携帯電話機であって、車載通話装置１０のユーザとしての登録が可能であることを示すメッセージが自動車１に搭載されたナビゲーション装置のセンターコンソールに配置されたディスプレイに出力されてもよい。また、このメッセージは携帯電話機１２のディスプレイに表示されてもよく、車載通話装置１０のスピーカ１０６やナビゲーション装置のスピーカから音声として出力されてもよい。
【００５３】
さらに、第２処理部１２０は指数ｆが「１」であると判定した場合（図３／Ｓ１２１‥「１」）、第２処理部１２０は車載通話装置１０および携帯電話機１２の間の通信回線の切り替えのための「指示信号」を外的通信管理システム２００に発信する（図３／Ｓ１２４（矢印（８）））。これに応じて切り替え処理部２２０が第１および第２識別子により識別される携帯電話機１２の通信回線を車載通話装置１０に切り替える（図３／Ｓ２２０）。続いて、第２処理部１２０は通信回線が切り替えられた旨の通知を外的通信管理システム２００からネットワーク経由で受信する（図３／矢印（９））。そして、第２処理部１２０は携帯電話機１２が第１種の携帯電話機であって、車載通話装置１０との切り替え使用が可能であることを示す「第１メッセージ」をナビゲーション装置のディスプレイに出力させる（図３／Ｓ１２５）。
【００５４】
また、第２処理部１２０は指数ｆが「２」であると判定した場合（図３／Ｓ１２１‥「２」）、携帯電話機１２が第２種の携帯電話機であって、車載通話装置１０との切り替え使用が不可能である旨の「第２メッセージ」をナビゲーション装置のディスプレイに出力させる（図３／Ｓ１２６）。
【００５５】
なお、第１および第２メッセージは携帯電話機１２のディスプレイに表示されてもよく、車載通話装置１０のスピーカ１０６やナビゲーション装置のスピーカから音声として出力されてもよい。
【００５６】
前記機能を発揮する本発明の内的通信管理システム１００および外的通信管理システム２００より構成される総合通信管理システムによれば、携帯電話機１２の「第１識別子」を用いた第１データベース２０１への照会により、この携帯電話機１２が車載通話装置１０との切り替え使用が可能な「第１種の携帯電話機」およびそうではない「第２種の携帯電話機」のうちいずれであるかが判定される（図２／Ｓ１１３（矢印（２）（３）））。また、携帯電話機１２が有する「第２識別子」を用いた第２データベース２０２への照会により、この携帯電話機１２のユーザが車載通話装置１０のユーザとして登録されているか否かが判定される（図２／Ｓ１１５（矢印（４）（５）））。そして、携帯電話機１２が第１種の携帯電話機であると判定されたこと、およびそのユーザが車載通話装置１０のユーザとして第２データベースに未登録であると判定されたことを要件として、当該登録手続を含む携帯電話機１２および車載通話装置１０の切り替え使用のための設定手続が許容される（図２／Ｓ１１４〜Ｓ１１７，図３／Ｓ１２２（矢印（６）））。
【００５７】
これにより、携帯電話機１２が第２種の携帯電話機であるにもかかわらず当該設定手続が許容されることが回避されうる。また、ユーザが携帯電話機１２（第２種の携帯電話機）および車載通話装置１０の切り替え使用が可能であると誤認することが確実に回避されうる。すなわち、本発明の通信管理システムによれば、携帯電話機１２と車載通話装置１０との切り替え使用の可否に関するユーザの誤認を回避しうるように通信状態が管理されうる。
【００５８】
なお、携帯電話機１２の機種判定は「１次ユーザ認証」であるともいえるが、この１次ユーザ認証は当該携帯電話機１２のメモリから読み取られた「第１識別子」に基づいて実行される（図２／Ｓ１１３（矢印（２）（３）））。また、車載通話装置１０のユーザとしての登録有無の判定は「２次ユーザ認証」であるともいえるが、この２次ユーザ認証は当該携帯電話機１２のメモリから読み取られた「第２識別子」に基づいて実行される（図２／Ｓ１１５（矢印（４）（５）））。したがって、ユーザが携帯電話機１２に情報を入力する等の操作が必要とされない分だけ楽に１次ユーザ認証および２次ユーザ認証が実行される。なお、ユーザが携帯電話機１２に情報を入力する等の操作（トリガとなる操作）に応じて、１次ユーザ認証および２次ユーザ認証のうち一方または両方が実行されてもよい。
【００５９】
一方、識別子がユーザの操作により車載通話装置１０に入力される場合、このユーザが携帯電話機１２を携帯していない場合でも、１次ユーザ認証および２次ユーザ認証が実行されうる。このようにユーザ登録のための要件に広がりを持たせることで、車載通話装置１０のユーザとしての手続処理が便利なものとなる。
【００６０】
さらに、携帯電話機１２が第１種の携帯電話機であると判定されたことに加え、さらにそのユーザが車載通話装置１０のユーザとして第２データベース２０２に登録されていることを要件として、当該携帯電話機１２の通信回線が外的通信管理システムによって車載通話装置１０との間で切り替えられる（図２／Ｓ１１４〜Ｓ１１６，Ｓ１１８，図３／Ｓ１２４（矢印（８）），Ｓ２２０）。これにより、携帯電話機１２が第２種の携帯電話機（その通信回線が車載通話装置１０に切り替えられても車載通話装置１０を通じた通話ができない通信装置）であるにもかかわらず、その通信回線が車載通話装置１０に切り替えられてしまい、車載通話装置１０を通じた通話はもちろんのこと携帯電話機１２を通じた通話すらできなくなってユーザを困惑させる事態が回避されうる。
【００６１】
なお、前記実施形態では携帯電話機１２が第１種の携帯電話機であると判定されたこと、およびそのユーザが車載通話装置１０のユーザとして第２データベースに登録されていないと判定されたことを要件として、当該登録手続を含む携帯電話機１２および車載通話装置１０の切り替え使用のための設定手続が許容されたが（図２／Ｓ１１４〜Ｓ１１７，図３／Ｓ１２２（矢印（６）））、他の実施形態として携帯電話機１２が第１種の携帯電話機であると判定されたことのみを要件として、当該登録手続を含む携帯電話機１２および車載通話装置１０の切り替え使用のための設定手続が許容されてもよい（図２／Ｓ１１４〜Ｓ１１７，図３／Ｓ１２２（矢印（６）））。これにより、当該切り替え使用の度に必要とされるまたはユーザが所望する事項に関する設定手続が可能となる。
【００６２】
また、第１処理部１１０が携帯電話機１２のメモリから「第３識別子」を読み取り（図１／Ｓ１１２参照）、この第３識別子を用いた第３データベース（図示略）への照会により、当該携帯電話機１２の通信回線の車載通話装置１０への切り替えの有無をさらに判定し、第２処理部１２０が第１処理部１１０により当該携帯電話機１２の通信回線が車載通話装置１０に切り替えられていないと判定されたことをさらなる要件として前記指示信号を外的通信管理システム２００に発信してもよい。
【００６３】
当該構成によれば、車載通話装置１０を通じた通話（または通信）ができないとユーザが認識している一方、実際には携帯電話機（第１種の携帯電話機）１２の通信回線が車載通話装置１０にすでに切り替えられている状態で、この通信回線が携帯電話機１２に再び切り替えられてしまう事態が回避される。これにより、それまでとは逆に車載通話装置１０を通じた通話が可能であるとユーザが認識しているにもかかわらず、通信回線が携帯電話機１２に切り替えられているために車載通話装置１０を通じた通話ができず、このユーザを困惑させてしまう事態が回避されうる。
【００６４】
さらに、第１データベース２０１、第２データベース２０２および第３データベースのそれぞれは、自動車１の外部にあるネットワーク経由でアクセス可能な外部のデータベースであってもよく、車内ネットワーク経由でアクセス可能な通信管理システム等により管理されている内部のデータベースであってもよい。また、内部の第ｉデータベース（ｉ＝１，２，３）への照会を補足する形で外部のデータベースが照会されてもよく、これとは逆に外部の第ｉデータベースへの照会を補足する形で内部のデータベースが照会されてもよい。たとえば外部の第１データベース２０１への照会（図２／矢印（２））を補足する形で内部のデータベース（図示略）が照会されることにより、携帯電話機１２の機種が判定されてもよい（図２／Ｓ１１３参照）。さらに、内部の第２データベース２０２への照会（図２／矢印（４））を補足する形で外部のデータベースが照会されることにより、ユーザの登録および未登録が判定されてもよい（図２／Ｓ１１５参照）。
【００６５】
また、第１処理部１１０が、第２通信状態において、ユーザによるイグニッションスイッチ（図示略）の操作に応じた自動車１の電源のオフ状態からオン状態への切り替え、または携帯電話機１２のホルダ（またはクレードル）への設置を要件として、携帯電話機１２が第１種および第２種の携帯電話機のいずれであるかを判定してもよい。
【００６６】
当該構成が採用されることで、ユーザが車載通話装置１０を通じた通話を意図している蓋然性が高いイベントの発生に応じて、携帯電話機１２の種類が判定され、かつ、携帯電話機１２が第１種の携帯電話機であると判定された場合には車載通話装置１０を通じた通話が実現されうる（図２／Ｓ１１０、図３／Ｓ１２０）。
【図面の簡単な説明】
【００６７】
【図１】本発明の通信管理システム等の構成例示図
【図２】本発明の通信管理方法の説明図
【図３】本発明の通信管理方法の説明図
【符号の説明】
【００６８】
１‥自動車（移動体）、１０‥車載通話装置（搭載通信装置）、１２‥携帯電話機（携帯通信装置）、１００‥内的通信管理システム、１０２‥通信ユニット、１０４‥マイク、１０６‥スピーカ、１１０‥第１処理部、１２０‥第２処理部、２２‥他の電話機（他の通信装置）、２００‥外的通信管理システム、２０１‥第１データベース、２０２‥第２データベース、２２０‥切り替え処理部
【図１】
2007306367.tif 000003
【図２】
2007306367.tif 000004
【図３】
2007306367.tif 000005